(57)【要約】【課題】接続対象の対象無線ネットワークへの接続におけるユーザの負荷を軽減できる新たな無線通信装置、対象無線ネットワークへの接続方法及びプログラムを提供することを目的とする。【解決手段】対象無線ネットワークで利用される認証方式を、対象無線ネットワークを構成する外部装置が出力する信号から取得し、この取得された認証方式に対応する複数種類の暗号化方式を順次選択し、選択された種類の暗号化方式を用いて、対象無線ネットワークへの接続を試みる（Ｓ４０４，Ｓ４０８，Ｓ４１６，Ｓ４２０，Ｓ４２６，Ｓ４３０）こととしたものである。【選択図】図７
2010087910.tif 000002
【特許請求の範囲】
【請求項１】
接続対象の対象無線ネットワークに接続する無線通信装置であって、
前記対象無線ネットワークを構成する外部装置が出力する信号から、前記対象無線ネットワークで利用される認証方式を取得する認証方式取得手段と、
前記取得済みの認証方式を用いて、前記無線通信装置を前記対象無線ネットワークに接続する無線接続手段と、を備え、
前記無線接続手段は、前記取得済みの認証方式に対応する複数種類の暗号化方式を順次選択し、前記順次選択された種類の暗号化方式を用いて、前記対象無線ネットワークへの接続を試みることを特徴とする無線通信装置。
【請求項２】
前記無線接続手段は、前記取得済みの認証方式に対応する前記複数種類の暗号化方式のうち、セキュリティの高い暗号化方式から順次選択することを特徴とする請求項１に記載の無線通信装置。
【請求項３】
前記取得済みの認証方式に対応する第１種の暗号化方式を示す第１種の暗号項目及び第２種の暗号化方式を示す第２種の暗号項目と、前記暗号化方式を特定しない第３種の暗号項目と、をユーザが選択可能に出力する出力手段を、備え、
前記無線接続手段は、第３種の暗号項目をユーザが選択した場合、前記第１種の暗号化方式及び前記第２種の暗号化方式のうち、セキュリティの高い暗号化方式から順次選択することを特徴とする請求項１又は請求項２に記載の無線通信装置。
【請求項４】
前記取得済みの認証方式に対応する第１種の暗号化方式を示す第１種の暗号項目及び第２種の暗号化方式を示す第２種の暗号項目をユーザが選択可能に出力する出力手段を、備え、
前記無線接続手段は、第１種の暗号項目をユーザが選択した場合、前記第１種の暗号化方式を用いて、前記対象無線ネットワークへの接続を試み、前記第１種の暗号化方式を用いた接続に失敗した場合、前記第２種の暗号化方式を用いて、前記対象無線ネットワークへの接続を試みることを特徴とする請求項１に記載の無線通信装置。
【請求項５】
接続対象の対象無線ネットワークに接続する無線通信装置であって、
前記対象無線ネットワークを構成する外部装置が出力する信号から、前記対象無線ネットワークで利用される暗号化方式を取得する暗号化方式取得手段と、
前記取得済みの暗号化方式を用いて、前記無線通信装置を前記対象無線ネットワークに接続する無線接続手段と、を備え、
前記無線接続手段は、前記取得済みの暗号化方式に対応する複数種類の認証方式を順次選択し、前記順次選択された種類の認証方式を用いて、前記対象無線ネットワークへの接続を試みることを特徴とする無線通信装置。
【請求項６】
前記無線接続手段は、前記取得済みの暗号化方式に対応する前記複数種類の認証方式のうち、セキュリティの高い認証方式から順次選択することを特徴とする請求項５に記載の無線通信装置。
【請求項７】
前記取得済みの暗号化方式に対応する第１種の認証方式を示す第１種の認証項目及び第２種の認証方式を示す第２種の認証項目と、前記認証方式を特定しない第３種の認証項目と、をユーザが選択可能に出力する出力手段を、備え、
前記無線接続手段は、第３種の認証項目をユーザが選択した場合、前記第１種の認証方式及び前記第２種の認証方式のうち、セキュリティの高い認証方式から順次選択することを特徴とする請求項５又は請求項６に記載の無線通信装置。
【請求項８】
前記取得済みの暗号化方式に対応する第１種の認証方式を示す第１種の認証項目及び第２種の認証方式を示す第２種の認証項目をユーザが選択可能に出力する出力手段を、備え、
前記無線接続手段は、第１種の認証項目をユーザが選択した場合、前記第１種の認証方式を用いて、前記対象無線ネットワークへの接続を試み、前記第１種の認証方式を用いた接続に失敗した場合、前記第２種の認証方式を用いて、前記対象無線ネットワークへの接続を試みることを特徴とする請求項５に記載の無線通信装置。
【請求項９】
前記対象無線ネットワークのネットワーク識別子であって、ユーザによって指定される前記ネットワーク識別子を取得するネットワーク識別子取得手段を備え、
前記無線接続手段は、前記取得済みのネットワーク識別子によって識別される前記対象無線ネットワークへの接続を試みることを特徴とする請求項１乃至請求項８のいずれか１項に記載の無線通信装置。
【請求項１０】
無線通信装置によって実行される接続対象の対象無線ネットワークへの接続方法であって、
前記対象無線ネットワークを構成する外部装置が出力する信号から、前記対象無線ネットワークで利用される認証方式を取得する認証方式取得ステップと、
前記取得済みの認証方式を用いて、前記無線通信装置を前記対象無線ネットワークに接続する無線接続ステップと、を含み、
前記無線接続ステップは、前記取得済みの認証方式に対応する複数種類の暗号化方式を順次選択し、前記順次選択された種類の暗号化方式を用いて、前記対象無線ネットワークへの接続を試みることを特徴とする接続方法。
【請求項１１】
無線通信装置によって実行される接続対象の対象無線ネットワークへの接続方法であって、
前記対象無線ネットワークを構成する外部装置が出力する信号から、前記対象無線ネットワークで利用される暗号化方式を取得する暗号化方式取得ステップと、
前記取得済みの暗号化方式を用いて、前記無線通信装置を前記対象無線ネットワークに接続する無線接続ステップと、を含み、
前記無線接続ステップは、前記取得済みの暗号化方式に対応する複数種類の認証方式を順次選択し、前記順次選択された種類の認証方式を用いて、前記対象無線ネットワークへの接続を試みることを特徴とする接続方法。
【請求項１２】
無線通信装置に、接続対象の対象無線ネットワークに接続させるためのコンピュータ読み取り可能なプログラムであって、
前記無線通信装置を、
前記対象無線ネットワークを構成する外部装置が出力する信号から、前記対象無線ネットワークで利用される認証方式を取得する認証方式取得手段と、
前記取得済みの認証方式を用いて、前記無線通信装置を前記対象無線ネットワークに接続する無線接続手段として機能させ、
前記無線接続手段は、前記取得済みの認証方式に対応する複数種類の暗号化方式を順次選択し、前記順次選択された種類の暗号化方式を用いて、前記対象無線ネットワークへの接続を試みる機能を含むことを特徴とするプログラム。
【請求項１３】
無線通信装置に、接続対象の対象無線ネットワークに接続させるためのコンピュータ読み取り可能なプログラムであって、
前記無線通信装置を、
前記対象無線ネットワークを構成する外部装置が出力する信号から、前記対象無線ネットワークで利用される暗号化方式を取得する暗号化方式取得手段と、
前記取得済みの暗号化方式を用いて、前記無線通信装置を前記対象無線ネットワークに接続する無線接続手段として機能させ、
前記無線接続手段は、前記取得済みの暗号化方式に対応する複数種類の認証方式を順次選択し、前記順次選択された種類の認証方式を用いて、前記対象無線ネットワークへの接続を試みる機能を含むことを特徴とするプログラム。
【発明の詳細な説明】
【技術分野】
【０００１】
本発明は、無線ネットワークに接続可能な無線通信装置の無線接続に関するものである。
【背景技術】
【０００２】
近時、無線ＬＡＮ（Local Area Network／以下、無線ＬＡＮを「無線ネットワーク」という。）が普及してきている。無線ネットワークでは情報漏洩が問題となる場合がある。そのため、無線ネットワークへの接続には認証及び暗号化を用いることが一般的に行われている。認証方式としては、例えば、シェアードキー認証（以下、「シェアードキー」という。）、ＷＰＡ（Wi-Fi Protected Access）−ＰＳＫ（Pre-Shared Key）及びＷＰＡ２−ＰＳＫが利用されている。また、暗号化方式としては、例えば、ＷＥＰ（Wired Equivalent Privacy）、ＴＫＩＰ（Temporal Key Integrity Protocol）及びＡＥＳ（Advanced Encryption Standard）が利用されている。なお、認証方式として、オープン認証（認証なし。以下「オープン」又は「ＯＰＥＮ」という。）が採用される場合や、暗号化方式として、暗号化なし（以下、「ＮＯＮＥ」ともいう。）が採用される場合もある。
【０００３】
無線通信装置を無線ネットワークに接続するためには、無線通信装置に所定の無線設定を施す必要がある。また、セキュリティが確保された無線ネットワークへの接続のためには、無線設定として認証方式及び暗号化方式の設定を行う必要がある。
【０００４】
しかしながら、無線ネットワークの認証方式や暗号化方式はユーザにとって理解し難く、ユーザが無線通信装置を接続対象の無線ネットワークに接続することは困難であった。このため、無線通信装置の対象無線ネットワークへの無線接続を簡単に行うための種々の手法が提案されている。例えば、Ｗｉ−ＦｉアライアンスによるＷＰＳ（Wi-Fi Protected Setup）のように、全ての設定を自動で行う手法が実用化されている。ただし、このような全自動の設定を行うためには、無線通信装置が全自動の設定（例えば、前記ＷＰＳ）に対応している必要がある。また、これ以外の接続手法も提案されている（例えば、特許文献１参照）。
【０００５】
【特許文献１】特開２００６−１４１０１２号公報
【特許文献２】特開２００４−１８００１０号公報
【特許文献３】特開２００７−１５１１９５号公報
【発明の開示】
【発明が解決しようとする課題】
【０００６】
無線ネットワークが広く普及してきている現在、無線通信装置を対象無線ネットワークに接続するためのユーザの負荷を軽減することは解決すべき技術課題の一つである。
【０００７】
本発明は、接続対象の対象無線ネットワークへの接続におけるユーザの負荷を軽減できる新たな無線通信装置、対象無線ネットワークへの接続方法及びプログラムを提供することを目的とする。
【課題を解決するための手段】
【０００８】
上記従来の課題に鑑みなされた本発明は、接続対象の対象無線ネットワークで利用されている一のセキュリティ設定方式を、対象無線ネットワークを構成する外部装置が出力する信号から取得し、この取得された一のセキュリティ設定方式に対応する複数種類の他のセキュリティ方式を順次選択し、選択された種類の他のセキュリティ設定を用いて、前記対象無線ネットワークへの接続を試みることとしたものである。
【０００９】
本発明を反映した第１の課題解決手段は、接続対象の対象無線ネットワークに接続する無線通信装置であって、前記対象無線ネットワークを構成する外部装置が出力する信号から、前記対象無線ネットワークで利用される認証方式を取得する認証方式取得手段と、前記取得済みの認証方式を用いて、前記無線通信装置を前記対象無線ネットワークに接続する無線接続手段と、を備え、前記無線接続手段は、前記取得済みの認証方式に対応する複数種類の暗号化方式を順次選択し、前記順次選択された種類の暗号化方式を用いて、前記対象無線ネットワークへの接続を試みることを特徴とする無線通信装置である。これによれば、対象無線ネットワークへ接続するための暗号化方式を、取得した認証方式に対応する複数種類の暗号化方式から順次選択し、選択された種類の暗号化方式を用いて、対象無線ネットワークへの接続を試みることができる。なお、無線通信装置は、必ずしも１つの装置である必要はなく、例えば、２つの装置による構成であってもよい。
【００１０】
第２の課題解決手段は、第１の課題解決手段の無線通信装置であって、前記無線接続手段は、前記取得済みの認証方式に対応する前記複数種類の暗号化方式のうち、セキュリティの高い暗号化方式から順次選択することを特徴とする。これによれば、セキュリティの高い暗号化方式から接続を試みることができる。
【００１１】
第３の課題解決手段は、第１又は第２の課題解決手段の無線通信装置であって、前記取得済みの認証方式に対応する第１種の暗号化方式を示す第１種の暗号項目及び第２種の暗号化方式を示す第２種の暗号項目と、前記暗号化方式を特定しない第３種の暗号項目と、をユーザが選択可能に出力する出力手段を、備え、前記無線接続手段は、第３種の暗号項目をユーザが選択した場合、前記第１種の暗号化方式及び前記第２種の暗号化方式のうち、セキュリティの高い暗号化方式から順次選択することを特徴とする。これによれば、ユーザが対象無線ネットワークへの接続を試みるにあたり、用いる暗号化方式を特定しない場合に、セキュリティの高い暗号化方式から接続を試みることができる。
【００１２】
第４の課題解決手段は、第１の課題解決手段の無線通信装置であって、前記取得済みの認証方式に対応する第１種の暗号化方式を示す第１種の暗号項目及び第２種の暗号化方式を示す第２種の暗号項目をユーザが選択可能に出力する出力手段を、備え、前記無線接続手段は、第１種の暗号項目をユーザが選択した場合、前記第１種の暗号化方式を用いて、前記対象無線ネットワークへの接続を試み、前記第１種の暗号化方式を用いた接続に失敗した場合、前記第２種の暗号化方式を用いて、前記対象無線ネットワークへの接続を試みることを特徴とする。これによれば、ユーザが選択した暗号化項目により示される第１種の暗号化方式を用いて、対象無線ネットワークへの接続を試みることが可能であるとともに、これに失敗した場合、第２種の暗号化方式を順次選択し、第２種の暗号化方式を用いて、対象無線ネットワークへの接続を試みることができる。
【００１３】
第５の課題解決手段は、接続対象の対象無線ネットワークに接続する無線通信装置であって、前記対象無線ネットワークを構成する外部装置が出力する信号から、前記対象無線ネットワークで利用される暗号化方式を取得する暗号化方式取得手段と、前記取得済みの暗号化方式を用いて、前記無線通信装置を前記対象無線ネットワークに接続する無線接続手段と、を備え、前記無線接続手段は、前記取得済みの暗号化方式に対応する複数種類の認証方式を順次選択し、前記順次選択された種類の認証方式を用いて、前記対象無線ネットワークへの接続を試みることを特徴とする無線通信装置である。これによれば、対象無線ネットワークへ接続するための認証方式を、取得した暗号化方式に対応する複数種類の認証方式から順次選択し、選択された種類の認証方式を用いて、対象無線ネットワークへの接続を試みることができる。なお、無線通信装置は、必ずしも１つの装置である必要はなく、例えば、２つの装置による構成であってもよい。
【００１４】
第６の課題解決手段は、第５の課題解決手段の無線通信装置であって、前記無線接続手段は、前記取得済みの暗号化方式に対応する前記複数種類の認証方式のうち、セキュリティの高い認証方式から順次選択することを特徴とする。これによれば、セキュリティの高い認証方式から接続を試みることができる。
【００１５】
第７の課題解決手段は、第５又は第６の課題解決手段の無線通信装置であって、前記取得済みの暗号化方式に対応する第１種の認証方式を示す第１種の認証項目及び第２種の認証方式を示す第２種の認証項目と、前記認証方式を特定しない第３種の認証項目と、をユーザが選択可能に出力する出力手段を、備え、前記無線接続手段は、第３種の認証項目をユーザが選択した場合、前記第１種の認証方式及び前記第２種の認証方式のうち、セキュリティの高い認証方式から順次選択することを特徴とする。これによれば、ユーザが対象無線ネットワークへの接続を試みるにあたり、用いる認証方式を特定しない場合に、セキュリティの高い認証方式を効率的に選択することができる。
【００１６】
第８の課題解決手段は、第５の課題解決手段の無線通信装置であって、前記取得済みの暗号化方式に対応する第１種の認証方式を示す第１種の認証項目及び第２種の認証方式を示す第２種の認証項目をユーザが選択可能に出力する出力手段を、備え、前記無線接続手段は、第１種の認証項目をユーザが選択した場合、前記第１種の認証方式を用いて、前記対象無線ネットワークへの接続を試み、前記第１種の認証方式を用いた接続に失敗した場合、前記第２種の認証方式を用いて、前記対象無線ネットワークへの接続を試みることを特徴とする。これによれば、ユーザが選択した認証項目により示される第１種の認証方式を用いて、対象無線ネットワークへの接続を試みることが可能であるとともに、これに失敗した場合、第２種の認証方式を順次選択し、第２種の認証方式を用いて、対象無線ネットワークへの接続を試みることができる。
【００１７】
第９の課題解決手段は、第１乃至第８の課題解決手段のいずれか１つの無線通信装置であって、前記対象無線ネットワークのネットワーク識別子であって、ユーザによって指定される前記ネットワーク識別子を取得するネットワーク識別子取得手段を備え、前記無線接続手段は、前記取得済みのネットワーク識別子によって識別される前記対象無線ネットワークへの接続を試みることを特徴とする。これによれば、ユーザによって指定された無線ネットワークを対象無線ネットワークとして、接続を試みることができる。
【００１８】
第１０の課題解決手段は、無線通信装置によって実行される接続対象の対象無線ネットワークへの接続方法であって、前記対象無線ネットワークを構成する外部装置が出力する信号から、前記対象無線ネットワークで利用される認証方式を取得する認証方式取得ステップと、前記取得済みの認証方式を用いて、前記無線通信装置を前記対象無線ネットワークに接続する無線接続ステップと、を含み、前記無線接続ステップは、前記取得済みの認証方式に対応する複数種類の暗号化方式を順次選択し、前記順次選択された種類の暗号化方式を用いて、前記対象無線ネットワークへの接続を試みることを特徴とする接続方法である。これによれば、対象無線ネットワークへ接続するための暗号化方式を、取得した認証方式に対応する複数種類の暗号化方式から順次選択し、選択された種類の暗号化方式を用いて、対象無線ネットワークに接続を試みることができる。
【００１９】
第１１の課題解決手段は、無線通信装置によって実行される接続対象の対象無線ネットワークへの接続方法であって、前記対象無線ネットワークを構成する外部装置が出力する信号から、前記対象無線ネットワークで利用される暗号化方式を取得する暗号化方式取得ステップと、前記取得済みの暗号化方式を用いて、前記無線通信装置を前記対象無線ネットワークに接続する無線接続ステップと、を含み、前記無線接続ステップは、前記取得済みの暗号化方式に対応する複数種類の認証方式を順次選択し、前記順次選択された種類の認証方式を用いて、前記対象無線ネットワークへの接続を試みることを特徴とする接続方法である。これによれば、対象無線ネットワークへ接続するための認証方式を、取得した暗号化方式に対応する複数種類の認証方式から順次選択し、選択された種類の認証方式を用いて、対象無線ネットワークに接続を試みることができる。
【００２０】
第１２の課題解決手段は、無線通信装置に、接続対象の対象無線ネットワークに接続させるためのコンピュータ読み取り可能なプログラムであって、前記無線通信装置を、前記対象無線ネットワークを構成する外部装置が出力する信号から、前記対象無線ネットワークで利用される認証方式を取得する認証方式取得手段と、前記取得済みの認証方式を用いて、前記無線通信装置を前記対象無線ネットワークに接続する無線接続手段として機能させ、前記無線接続手段は、前記取得済みの認証方式に対応する複数種類の暗号化方式を順次選択し、前記順次選択された種類の暗号化方式を用いて、前記対象無線ネットワークへの接続を試みる機能を含むことを特徴とするプログラムである。これによれば、対象無線ネットワークへ接続するための暗号化方式を、取得した認証方式に対応する複数種類の暗号化方式から順次選択し、選択された種類の暗号化方式を用いて対象無線ネットワークへの接続を試みる手段として、無線通信装置を機能させることができる。
【００２１】
第１３の課題解決手段は、無線通信装置に、接続対象の対象無線ネットワークに接続させるためのコンピュータ読み取り可能なプログラムであって、前記無線通信装置を、前記対象無線ネットワークを構成する外部装置が出力する信号から、前記対象無線ネットワークで利用される暗号化方式を取得する暗号化方式取得手段と、前記取得済みの暗号化方式を用いて、前記無線通信装置を前記対象無線ネットワークに接続する無線接続手段として機能させ、前記無線接続手段は、前記取得済みの暗号化方式に対応する複数種類の認証方式を順次選択し、前記順次選択された種類の認証方式を用いて、前記対象無線ネットワークへの接続を試みる機能を含むことを特徴とするプログラムである。これによれば、対象無線ネットワークへ接続するための認証方式を、取得した暗号化方式に対応する複数種類の認証方式から順次選択し、選択された種類の認証方式を用いて対象無線ネットワークへの接続を試みる手段として、無線通信装置を機能させることができる。
【発明の効果】
【００２２】
本発明によれば、接続対象の対象無線ネットワークへの接続におけるユーザの負荷を軽減できる新たな無線通信装置、対象無線ネットワークへの接続方法及びプログラムを得ることができる。具体的には、ユーザは、認証方式及び／又は暗号化方式を選択することなく、無線通信装置を対象無線ネットワークに容易に接続させることができる。
【発明を実施するための最良の形態】
【００２３】
本発明を反映した上記課題解決手段を実施するための実施形態について、図面を用いて、以下に詳細に説明する。なお、上記課題解決手段は以下に記載の構成に限定されるものではなく、同一の技術的思想において種々の構成を採用することができる。
【００２４】
（システムの構成）
図１は、無線ネットワークシステムを含むシステム全体を示す図である。無線ネットワークシステム１０は、アクセスポイント３００Ａにより形成される無線ネットワークである。プリント機能、スキャナ機能、コピー機能等複数の機能を実行可能な複合機１００は、この無線ネットワークシステム１０に属し、アクセスポイント３００Ａと有線ＬＡＮ６００及びハブ６２０を介して接続されたパーソナルコンピュータ（以下、「パソコン」という。）４００から印刷データを受信し、これを印刷する。また、スキャンした画像データを、アクセスポイント３００Ａを介してパソコン４００に送信する。複合機１００には、後述する複合機１００への無線設定に関する処理を実行するパソコン２００がＵＳＢ（Universal Serial Bus）接続されている。なお、複合機１００とパソコン２００との接続はＵＳＢ接続に限らず、他の接続形態であってもよい。例えば、複合機１００とパソコン２００とは、有線ＬＡＮケーブルを介して接続されていてもよい。パソコン２００が備える無線インターフェースを介したアドホックモードによる無線接続とすることもできる。
【００２５】
複合機１００の周辺には、アクセスポイント３００Ａの他、別の無線ネットワークを形成しているアクセスポイント３００Ｂ及びアクセスポイント３００Ｃが存在している。また、無線インターフェースを備えたパソコン５００も存在している。ここで、アクセスポイント３００Ａ，３００Ｂ又は３００Ｃを介して行われる無線接続の形態をインフラストラクチャモードといい、装置相互が直接通信を行う無線接続の形態をアドホックモードという（例えば、図１において、パソコン５００から印刷データを複合機１００が受信したとすれば、両者はアドホックモードによって無線接続されている。）。
【００２６】
図２は、図１に示す各装置の機能ブロックを示す図である。なお、アクセスポイント３００Ｂ及び３００Ｃについては、アクセスポイント３００Ａと同一の構成であるため、その記載を省略している。また、パソコン４００及び５００についてもパソコン２００と同様（パソコン４００及び５００は、パソコン２００が実行する後述の無線設定処理に関するプログラムを記憶していない点、相違する。）の構成であり、かつパソコン４００及び５００は、従来のパソコンと同一であるため、その記載を省略する。
【００２７】
先ず、複合機１００について説明する。複合機１００は、自装置の制御を司る制御部１１０を備える。ここで、制御部１１０は、例えば、演算処理を実行するＣＰＵ、各種プログラムを記憶するＲＯＭ、作業領域としてのＲＡＭにより構成される。なお、ＣＰＵがＲＯＭに記憶されるプログラムを実行することで、各種処理が実行される。その際、ＲＡＭには、各種データ、例えば、無線インターフェース（以下、「無線Ｉ／Ｆ」という。）１２０が受信したデータ、及び操作部１６０を介して入力されたデータが入力・保持され、ＣＰＵは、これらデータを用いた処理を実行するためＲＡＭにアクセスする。したがって、ＣＰＵがＲＯＭに記憶されている各種プログラムをＲＡＭ上で実行することで、各種処理が実行され、これによって各種手段が構成される。
【００２８】
また、複合機１００が備える無線Ｉ／Ｆ１２０は、アクセスポイント３００Ａ等とインフラストラクチャモードでの無線通信（無線接続）及びパソコン５００等とアドホックモードでの無線通信（無線接続）を行う。記憶部１３０は無線接続のための無線設定を記憶する、例えば、不揮発性のメモリ（例えば、ＥＥＰＲＯＭ）又はハードディスクによって構成されている。印刷部１４０は、プリント機能及びコピー機能の実行に用いられ、例えば、パソコン４００から送信されたプリントデータを印刷する。スキャナ部１５０は、原稿載置部（描画せず）に置かれた原稿をスキャンする。操作部１６０は、データの入力インターフェースとしての機能を実現する、例えば、方向キー、文字入力が可能なテンキーボード及び確定ボタン等により構成される。表示部１７０は各種情報を表示する。ＵＳＢインターフェース（以下、「ＵＳＢＩ／Ｆ」という。）１８０はＵＳＢ接続を実現するインターフェースである。
【００２９】
ここで、複合機１００は、認証方式として、オープン、シェアードキー、ＷＰＡ−ＰＳＫ及びＷＰＡ２−ＰＳＫをサポートしているものとし、また、暗号化方式として、ＷＥＰ、ＴＫＩＰ及びＡＥＳをサポートしているものとする。なお、複合機１００は、暗号化を行わない無線通信にも対応可能である。
【００３０】
各認証方式、暗号化方式、認証方式及び暗号化方式において採用可能なパスワード長（文字数）及び対応可能な通信モードの関係を表１に示す。表１において、「認証方式：ＯＰＥＮ」は「認証なし（あるいはオープン認証）」を示し、「暗号化方式：ＮＯＮＥ」は「暗号化なし（あるいは暗号化無効）」を示す。認証方式及び暗号化方式が「シェアードキー及びＷＥＰ」及び「ＯＰＥＮ及びＷＥＰ」の組合せにおけるパスワード長は、表１に記載の文字数の他、１６及び３２文字を採用することもできる。インフラストラクチャモードでは、表１に記載の全ての認証方式を用いることができる一方、アドホックモードでは、認証方式としては「認証なし」のみ用いることができる。以下の説明において、「ＷＰＡ−ＰＳＫ」及び「ＷＰＡ２−ＰＳＫ」を、単に「ＷＰＡ」及び「ＷＰＡ２」と記載する。
【００３１】
【表１】
2010087910.tif 000003
【００３２】
パソコン２００は、自装置の制御を司り、ＣＰＵ、ＲＯＭ及びＲＡＭにより構成される制御部２１０と、後述する複合機１００に対する無線設定処理を実行するためのプログラム２２４を記憶し、自身の無線設定を記憶する記憶部２２０と、を備える。記憶部２２０は、例えば、ハードディスクで構成されている。制御部２１０を構成するＣＰＵが、例えば、操作部２３０を介して入力されたデータを用いて、ＲＯＭ及び記憶部２２０に記憶されるプログラム２２４をＲＡＭ上で実行することで、各種処理が実行され、これによって各種手段が構成される。
【００３３】
この他、パソコン２００は、キーボード及びマウスから構成され、プログラムの実行に用いられる各種データの入力インターフェースとしての操作部２３０と、各種情報を表示する表示部２４０と、ＵＳＢ接続を実現するＵＳＢＩ／Ｆ２５０と、インフラストラクチャモード及びアドホックモードによる無線通信（無線接続）を実行する無線Ｉ／Ｆ２６０と、を備える。なお、パソコン２００の基本的構成は、従来から利用されているパーソナルコンピュータと同様である。
【００３４】
アクセスポイント３００Ａは、自装置の制御を司り、ＣＰＵ、ＲＯＭ及びＲＡＭにより構成される制御部３１０と、各種装置から送信されるデータを受信し、送信する無線Ｉ／Ｆ３２０と、例えば、不揮発性メモリ（例えば、ＥＥＰＲＯＭ）により構成され、無線設定を記憶する記憶部３３０と、有線ＬＡＮ６００との接続を実現する有線インターフェース（（図２において「有線Ｉ／Ｆ」と記載）３４０と、を備える。ここで、アクセスポイント３００Ａの記憶部３３０は、無線設定として、無線ネットワークを識別するＳＳＩＤ（Service Set Identifier）の他、認証方式、暗号化方式及びネットワークパスワード（以下、単に「パスワード」という。）等を記憶する。なお、アクセスポイント３００Ａの基本的構成は、従来から利用されているアクセスポイントと同様である。
【００３５】
以下、複合機１００への無線設定に関する処理について、２つの処理手法を個別に説明する。なお、これら処理を経て、複合機１００が、例えば、アクセスポイント３００Ａと無線接続できるようになったとき、例えば、上述のようなパソコン４００からの印刷データの受信、又は複合機１００においてスキャンした画像データのパソコン４００への送信が可能となる。
【００３６】
（第１処理形態）
第１処理形態における無線設定は、複合機１００の操作部１６０を介して実行されるものである。図３は、この処理において複合機１００で実行される処理フローを示したものである。制御部１１０は、ユーザが操作部１６０を介して行ったこの処理の開始指示を取得（検出）した場合、この処理を開始し、表示部１７０に所定の情報を表示する。この表示にしたがい、ユーザが操作部１６０を介して無線ネットワークサーチ要求指示を入力した場合、制御部１１０は、この指示を取得し（Ｓ１００）、無線Ｉ／Ｆ１２０を制御して周辺で無線ネットワークを形成している外部装置（図１に基づけば、アクセスポイント３００Ａ〜３００Ｃ及びパソコン５００）をサーチする（Ｓ１０２）。サーチは、外部装置から出力されるＳＳＩＤを受信して行われる。サーチを行っている際、制御部１１０は、その旨を表示部１７０に図４（i）の態様で表示する。そして、制御部１１０は、サーチによって無線Ｉ／Ｆ１２０が受信したＳＳＩＤを取得し、取得したＳＳＩＤを表示部１７０に図４（ii）の態様でリスト表示し（Ｓ１０４）、表示中のＳＳＩＤのいずれか一つをユーザが接続対象として選択するまで待機する。なお、ＳＳＩＤは、表示されているものから選択する場合の他、ユーザが操作部１６０を介して直接入力（手動入力）することも可能である。
【００３７】
ユーザが操作部１１０を介して接続対象のＳＳＩＤを選択又は直接入力し、同じく操作部１１０を介して確定操作を行ったとき、制御部１１０は選択又は直接入力されたＳＳＩＤを取得し（Ｓ１０６）、表示部１７０にパスワード入力インターフェース（以下、「パスワード入力Ｉ／Ｆ」という。）を図４（iii）の態様で表示する。パスワード入力Ｉ／Ｆには、無線ネットワークにパスワードが設定されていない場合には、パスワードの入力を行わないで、操作部１６０を介した確定操作を行う旨のメッセージも合わせて表示される。なお、以下の説明では、アクセスポイント３００Ａにより形成される無線ネットワークを識別するＳＳＩＤが、接続対象の無線ネットワークとして選択（直接入力）され、制御部１１０は、アクセスポイント３００Ａから送信されたＳＳＩＤをＳ１０６で取得したものとして説明する。
【００３８】
図４（iii）の表示にしたがい、ユーザが操作部１６０を介してパスワードを入力し、又はパスワードが設定されていないとして何ら入力することなく確定操作を行ったとき（図４（iii）では「ABCDEFG・・・」が入力）、制御部１１０は入力されたパスワードを取得し（Ｓ１１０）、続けて、Ｓ１１２の処理（１）を実行する。なお、Ｓ１１０で制御部１１０は、パスワードが入力されることなく確定操作がなされた場合、入力されていないことを内容とするデータを取得する（この場合、パスワードの文字数は「０」である。）。
【００３９】
制御部１１０は、外部装置が利用している認証方式がＷＰＡ２又はＷＰＡである場合、Ｓ１０２でＳＳＩＤとともに、外部装置が利用している認証方式を特定可能な認証方式情報（ＷＰＡ２であることを示す情報、又はＷＰＡであることを示す情報）を無線Ｉ／Ｆ１２０を介して受信し、取得している。Ｓ１１２で制御部１１０は、この認証方式情報に基づき、認証方式を特定し（ＷＰＡ２及びＷＰＡではないと特定することを含む。後述する図５に示す処理（１）のＳ２００及びＳ２０４参照）、特定した認証方式に対応する暗号化方式をユーザが選択可能に表示部１７０表示する。なお、暗号化方式の表示に際し、ユーザが暗号化方式を認識していない場合を考慮し、暗号化方式を特定しない「不明」を合わせて表示する（後述する図４（iv）参照。）。Ｓ１１２で実行される処理（１）の詳細は後述する。
【００４０】
Ｓ１１４で制御部１１０は、Ｓ１１２で表示された暗号化方式の中から、ユーザが何れかの暗号化方式（不明を含む）を選択した場合、ユーザが選択した暗号化方式を取得し、選択された暗号化方式が、所定の暗号化方式（図４（iv）を例とすれば、ＡＥＳ及びＴＫＩＰ）であるか、暗号化方式を特定しない「不明」であるかを判断する（Ｓ１１６）。判断の結果、所定の暗号化方式が選択された場合、制御部１１０はＳ１１８を実行する一方、「不明」が選択された場合、Ｓ１２０を実行する。なお、Ｓ１１８で実行される処理（２）は、ユーザが選択した暗号化方式に基づき、接続対象の無線ネットワーク（アクセスポイント３００Ａにより形成される無線ネットワーク１０）への接続を試みる処理である。Ｓ１２０で実行される処理（３）は、認証方式情報によって示される認証方式に対応する暗号化方式を順次選択（変更）し、接続対象の無線ネットワークへの接続を試みる処理である。Ｓ１１８の処理（２）及びＳ１２０の処理（３）の詳細は後述する。
【００４１】
そして、制御部１１０は、Ｓ１１８又はＳ１２０の結果を表示部１７０に表示する（Ｓ１２２）。具体的には、接続が成功（確立）できた場合、接続に成功したことを示すメッセージ（無線設定としたパラメータを含む。）を表示部１７０に表示する一方、接続に失敗した場合、接続に失敗したことを内容とするメッセージを表示部１７０に表示する。その後、制御部１１０は、この処理を終了する。なお、Ｓ１２２で接続結果を表示する構成を採用したが、印刷部１４０で印刷出力する構成とすることもできる。また、表示及び印刷の両方を実行する構成としてもよい。
【００４２】
図５は、図３のＳ１１２の処理（１）に関する処理フローを示すものである。先ず、制御部１１０は、Ｓ１０２（図３）で取得した認証方式情報が、ＷＰＡ２を示すものであるか否かを判断する（Ｓ２００）。判断の結果、ＷＰＡ２である場合（Ｓ２００：ＹＥＳ）、制御部１１０は、表示部１７０に、Ｓ１０６でユーザが選択したアクセスポイント３００Ａの認証方式がＷＰＡ２であること、及びＷＰＡ２に対応する暗号化方式として「ＡＥＳ」及び「ＴＫＩＰ」、並びに「不明」を、ユーザが選択可能な選択肢として表示する（Ｓ２０２）。図４（iv）はＳ２０２（図５）での表示態様を示すものである。
【００４３】
Ｓ２００の判断が否定された場合（Ｓ２００：ＮＯ）、制御部１１０は、認証方式情報がＷＰＡを示すものであるか否かを判断する（Ｓ２０４）。判断の結果、ＷＰＡである場合（Ｓ２０４：ＹＥＳ）、制御部１１０は、表示部１７０に、Ｓ１０６でユーザが選択したアクセスポイント３００Ａで利用される認証方式がＷＰＡであること、及びＷＰＡに対応する暗号化方式として「ＡＥＳ」及び「ＴＫＩＰ」、並びに「不明」を、ユーザが選択可能な選択肢として表示する（Ｓ２０６）。
【００４４】
Ｓ２０４の判断が否定された場合（Ｓ２０４：ＮＯ）、制御部１１０は表示部１７０に、ＷＰＡ２及びＷＰＡ以外の認証方式で用いられる暗号化方式である「ＷＥＰ」及び「ＮＯＮＥ」（表１参照）、並びに「不明」を、ユーザが選択可能な選択肢として表示する（Ｓ２０８）。なお、制御部１１０は、Ｓ２０２、Ｓ２０６及びＳ２０８を実行した後、この処理（１）を終了する。
【００４５】
図６は、Ｓ１１８の処理（２）に関する処理フローを示すものである。先ず、制御部１１０は、ユーザの選択に基づきＳ１１４（図３）で取得した暗号化方式が、ＡＥＳを示すものであるか否かを判断する（Ｓ３００）。判断の結果、ＡＥＳではない場合（Ｓ３００：ＮＯ）、制御部１１０は、処理をＳ３１２に移行する一方、ＡＥＳである場合（Ｓ３００：ＹＥＳ）、Ｓ３０２を実行する。なお、Ｓ１０２（図３）で取得した認証方式情報が、ＷＰＡ２又はＷＰＡを示すものである場合（図５に示す処理（１）のＳ２００又はＳ２０４で判断が肯定（ＹＥＳ）されている場合）、Ｓ１１４で暗号化方式としてＡＥＳがユーザによって選択されている可能性がある（表１参照）。
【００４６】
Ｓ３０２で制御部１１０は、認証方式及び暗号化方式として「Ｓ１０２で取得した認証方式情報で示される認証方式（ＷＰＡ２又はＷＰＡ）及びＡＥＳ」の組合せを設定のパラメータとして、アクセスポイント３００Ａへの接続を試み、接続に成功したか否かを判断する（Ｓ３０４）。
【００４７】
判断の結果、接続に失敗した場合（Ｓ３０４：ＮＯ）、制御部１１０は、Ｓ３０２で設定したパラメータの内、暗号化方式をＴＫＩＰに変更した設定で、再度、アクセスポイント３００Ａへの接続を試み（Ｓ３０６）、接続に成功したか否かを判断する（Ｓ３０８）。判断の結果、接続に失敗した場合（Ｓ３０８：ＮＯ）、制御部１１０は処理（２）を終了する。Ｓ３０４又はＳ３０８で接続に成功した場合（Ｓ３０４，Ｓ３０８：ＹＥＳ）、制御部１１０は、接続に用いたパラメータ（認証方式及び暗号化方式）を無線設定用のパラメータとして記憶部１３０に保持し（Ｓ３１０）、処理（２）を終了する。
【００４８】
Ｓ３１２で制御部１１０は、ユーザの選択に基づきＳ１１４（図３）で取得した暗号化方式が、ＴＫＩＰを示すものであるか否かを判断する（Ｓ３１２）。判断の結果、ＴＫＩＰではない場合（Ｓ３１２：ＮＯ）、制御部１１０は、処理をＳ３２４に移行する一方、ＴＫＩＰである場合（Ｓ３１２：ＹＥＳ）、Ｓ３１４を実行する。なお、Ｓ１０２（図３）で取得した認証方式情報が、ＷＰＡ２又はＷＰＡを示すものである場合（図５に示す処理（１）のＳ２００又はＳ２０４で判断が肯定（ＹＥＳ）されている場合）、Ｓ１１４で暗号化方式としてＴＫＩＰがユーザによって選択されている可能性がある（表１参照）。
【００４９】
Ｓ３１４で制御部１１０は、認証方式及び暗号化方式として「Ｓ１０２で取得した認証方式情報で示される認証方式（ＷＰＡ２又はＷＰＡ）及びＴＫＩＰ」の組合せを設定のパラメータとして、アクセスポイント３００Ａへの接続を試み、接続に成功したか否かを判断する（Ｓ３１６）。
【００５０】
判断の結果、接続に失敗した場合（Ｓ３１６：ＮＯ）、制御部１１０は、Ｓ３１４で設定したパラメータの内、暗号化方式をＡＥＳに変更した設定で、再度、アクセスポイント３００Ａへの接続を試み（Ｓ３１８）、接続に成功したか否かを判断する（Ｓ３２０）。判断の結果、接続に失敗した場合（Ｓ３２０：ＮＯ）、制御部１１０は処理（２）を終了する。Ｓ３１６又はＳ３２０で接続に成功した場合（Ｓ３１６，Ｓ３２０：ＹＥＳ）、制御部１１０は、接続に用いたパラメータ（認証方式及び暗号化方式）を無線設定用のパラメータとして記憶部１３０に保持し（Ｓ３２２）、処理（２）を終了する。
【００５１】
なお、Ｓ３０４又はＳ３１６で接続に失敗したと判断された場合（Ｓ３０４，Ｓ３１６：ＮＯ）、Ｓ３０６又はＳ３１８を実行する構成としたが、これら暗号化方式による接続試みは、ユーザ選択に基づくものではないため、Ｓ３０４等で接続に失敗したと判断された場合（Ｓ３０４，Ｓ３１６：ＮＯ）、Ｓ３０６又はＳ３１８を実行することなく、処理（２）を終了する構成とすることもできる。
【００５２】
Ｓ３２４で制御部１１０は、ユーザの選択に基づきＳ１１４（図３）で取得した暗号化方式が、ＷＥＰを示すものであるか否かを判断する。判断の結果、ＷＥＰではない場合（Ｓ３２４：ＮＯ）、制御部１１０は、処理をＳ３３６に移行する一方、ＷＥＰである場合（Ｓ３２４：ＹＥＳ）、Ｓ３２６を実行する。なお、Ｓ１０２で認証方式情報が取得できていない場合（図５に示す処理（１）のＳ２０４で判断が否定（ＮＯ）されている場合）、Ｓ１１４で暗号化方式としてＷＥＰが取得されている可能性がある（表１参照）。
【００５３】
Ｓ３２６で制御部１１０は、認証方式及び暗号化方式として「シェアードキー（図６において「ＳＨＡＲＥＤ」と記載）及びＷＥＰ」の組合せを設定のパラメータとして、アクセスポイント３００Ａへの接続を試み、接続に成功したか否かを判断する（Ｓ３２８）。
【００５４】
判断の結果、接続に失敗した場合（Ｓ３２８：ＮＯ）、制御部１１０は、Ｓ３２６で設定したパラメータの内、認証方式をオープン（図６において「ＯＰＥＮ」と記載）に変更した設定で、再度、アクセスポイント３００Ａへの接続を試み（Ｓ３３０）、接続に成功したか否かを判断する（Ｓ３３２）。判断の結果、接続に失敗した場合（Ｓ３３２：ＮＯ）、制御部１１０は処理（２）を終了する。Ｓ３２８又はＳ３３２で接続に成功した場合（Ｓ３２８，Ｓ３３２：ＹＥＳ）、制御部１１０は、接続に用いたパラメータ（認証方式及び暗号化方式）を無線設定用のパラメータとして記憶部１３０に保持し（Ｓ３３４）、処理（２）を終了する。
【００５５】
ここで、暗号化方式がＷＥＰの場合（Ｓ３２４：ＹＥＳ）、制御部１１０は、セキュリティを考慮し、設定のパラメータを選択している。すなわち、セキュリティの高い認証方式及び暗号化方式の組合せである「シェアードキー及びＷＥＰ」を、「オープン及びＷＥＰ」に優先して選択し、この組合せによって接続を試みる構成を採用している。
【００５６】
Ｓ３３６で制御部１１０は、認証方式及び暗号化方式として「オープン（図６において「ＯＰＥＮ」と記載）及び暗号化なし（図６において「ＮＯＮＥ」と記載）」の組合せを設定のパラメータとして、アクセスポイント３００Ａへの接続を試み、接続に成功したか否かを判断する（Ｓ３３８）。判断の結果、接続に失敗した場合（Ｓ３３８：ＮＯ）、制御部１１０は処理（２）を終了し、接続に成功した場合（Ｓ３３８：ＹＥＳ）、制御部１１０は、接続に用いたパラメータ（認証方式及び暗号化方式）を無線設定用のパラメータとして記憶部１３０に保持し（Ｓ３４０）、処理（２）を終了する。
【００５７】
図７は、図３のＳ１２０の処理（３）に関する処理フローを示すものである。先ず、制御部１１０は、Ｓ１１０（図３）でユーザが入力したパスワードのパスワード長（文字数）が「０」であるか否かを判断する（Ｓ４００）。判断の結果、パスワード長が「０」である場合（Ｓ４００：ＹＥＳ）、制御部１１０は、処理をＳ４３６に移行する一方、パスワード長が「０」でない場合（Ｓ４００：ＮＯ）、Ｓ４０２を実行する。なお、Ｓ４３６以降の処理については、後述する。
【００５８】
Ｓ４０２で制御部１１０は、Ｓ１０２（図３）で取得した認証方式情報が、ＷＰＡ２を示すものであるか否かを判断する（Ｓ４０２）。判断の結果、ＷＰＡ２ではない場合（Ｓ４０２：ＮＯ）、制御部１１０は、処理をＳ４１４に移行する一方、ＷＰＡ２である場合（Ｓ４０２：ＹＥＳ）、Ｓ４０４を実行する。なお、Ｓ４０２の判断は、図５に示す処理（１）のＳ２００と同一である。Ｓ４０４で制御部１１０は、認証方式及び暗号化方式として「ＷＰＡ２及びＡＥＳ」の組合せを設定のパラメータとして、アクセスポイント３００Ａへの接続を試み、接続に成功したか否かを判断する（Ｓ４０６）。判断の結果、接続に失敗した場合（Ｓ４０６：ＮＯ）、制御部１１０は、Ｓ４０４で設定したパラメータの内、暗号化方式をＴＫＩＰに変更した設定で、再度、アクセスポイント３００Ａへの接続を試み（Ｓ４０８）、接続に成功したか否かを判断する（Ｓ４１０）。判断の結果、接続に失敗した場合（Ｓ４１０：ＮＯ）、制御部１１０は処理（３）を終了する。Ｓ４０６又はＳ４１０で接続に成功した場合（Ｓ４０６，Ｓ４１０：ＹＥＳ）、制御部１１０は、接続に用いたパラメータ（認証方式及び暗号化方式）を無線設定用のパラメータとして記憶部１３０に保持し（Ｓ４１２）、処理（３）を終了する。
【００５９】
Ｓ４１４で制御部１１０は、Ｓ１０２（図３）で取得した認証方式情報が、ＷＰＡを示すものであるか否かを判断する（Ｓ４１４）。判断の結果、ＷＰＡではない場合（Ｓ４１４：ＮＯ）、制御部１１０は、処理をＳ４２６に移行する一方、ＷＰＡである場合（Ｓ４１４：ＹＥＳ）、Ｓ４１６を実行する。なお、Ｓ４１４の判断は、図５に示す処理（１）のＳ２０４と同一である。Ｓ４１６で制御部１１０は、認証方式及び暗号化方式として「ＷＰＡ及びＡＥＳ」の組合せを設定のパラメータとして、アクセスポイント３００Ａへの接続を試み、接続に成功したか否かを判断する（Ｓ４１８）。判断の結果、接続に失敗した場合（Ｓ４１８：ＮＯ）、制御部１１０は、Ｓ４１６で設定したパラメータの内、暗号化方式をＴＫＩＰに変更した設定で、再度、アクセスポイント３００Ａへの接続を試み（Ｓ４２０）、接続に成功したか否かを判断する（Ｓ４２２）。判断の結果、接続に失敗した場合（Ｓ４２２：ＮＯ）、制御部１１０は処理（３）を終了する。なお、Ｓ４１８又はＳ４２２で接続に成功した場合（Ｓ４１８，Ｓ４２２：ＹＥＳ）、制御部１１０は、接続に用いたパラメータ（認証方式及び暗号化方式）を無線設定用のパラメータとして記憶部１３０に保持し（Ｓ４２４）、処理（３）を終了する。
【００６０】
ここで、Ｓ４０２で判断が肯定される場合（Ｓ４０２：ＹＥＳ）、制御部１１０は、暗号化方式としてＡＥＳをＴＫＩＰよりも優先して選択し、認証方式（ＷＰＡ２）と各暗号化方式（ＡＥＳ，ＴＫＩP）との組合せで、アクセスポイント３００Ａへの接続を試みている。同様に、Ｓ４０４で判断が肯定される場合（Ｓ４０４：ＹＥＳ）、制御部１１０は、暗号化方式としてＡＥＳをＴＫＩＰよりも優先して選択し、認証方式（ＷＰＡ）と各暗号化方式（ＡＥＳ，ＴＫＩP）との組合せで、アクセスポイント３００Ａへの接続を試みている。これは、ＡＥＳは、ＴＫＩＰよりもセキュリティが高い暗号化方式であることを考慮したものである。
【００６１】
Ｓ４２６で制御部１１０は、認証方式及び暗号化方式として「シェアードキー（図７において「ＳＨＡＲＥＤ」と記載）及びＷＥＰ」の組合せを設定のパラメータとして、アクセスポイント３００Ａへの接続を試み、接続に成功したか否かを判断する（Ｓ４２８）。判断の結果、接続に失敗した場合（Ｓ４２８：ＮＯ）、制御部１１０は、Ｓ４２６で設定したパラメータの内、認証方式をオープン（図７において「ＯＰＥＮ」と記載）に変更した設定で、再度、アクセスポイント３００Ａへの接続を試み（Ｓ４３０）、接続に成功したか否かを判断する（Ｓ４３２）。判断の結果、接続に失敗した場合（Ｓ４３２：ＮＯ）、制御部１１０は処理（３）を終了する。Ｓ４２８又はＳ４３２で接続に成功した場合（Ｓ４２８，Ｓ４３２：ＹＥＳ）、制御部１１０は、接続に用いたパラメータ（認証方式及び暗号化方式）を無線設定用のパラメータとして記憶部１３０に保持し（Ｓ４３４）、処理（３）を終了する。なお、認証方式及び暗号化方式の組合せとして、「シェアードキー及びＷＥＰ」を、「オープン及びＷＥＰ」に優先して選択する構成を採用している（Ｓ４２６及びＳ４３０参照）。これは上記処理（２）に記載した理由と、同一の理由によるものである。
【００６２】
Ｓ４３６で制御部１１０は、認証方式及び暗号化方式として「オープン及び暗号化なし（図７において「ＮＯＮＥ」と記載）」の組合せを設定のパラメータとして、アクセスポイント３００Ａへの接続を試み、接続に成功したか否かを判断する（Ｓ４３８）。判断の結果、接続に失敗した場合（Ｓ４３８：ＮＯ）、制御部１１０は処理（３）を終了し、接続に成功した場合（Ｓ４３８：ＹＥＳ）、制御部１１０は、接続に用いたパラメータ（認証方式及び暗号化方式）を無線設定用のパラメータとして記憶部１３０に保持し（Ｓ４４０）、処理（３）を終了する。
【００６３】
（第１処理形態に基づく有利な効果）
上述した構成（処理）に基づく有利な効果について列挙する。
（１）暗号化方式の選択肢として、認証方式情報に基づき特定した認証方式に対応する適切な暗号化方式を、ユーザが選択可能に表示部１７０に表示する構成を採用した（図５のＳ２０２，Ｓ２０６及びＳ２０８）。これによれば、仮に選択されたとしても接続に失敗する不適切な暗号化方式が、ユーザによって選択されることを防止することができる。
【００６４】
（２）上記（１）の構成において、認証方式情報に基づき特定した認証方式に対応する適切な暗号化方式とともに、ユーザが正しい暗号化方式を選択できないことを考慮し、選択肢として「不明」を表示部１７０に表示する構成を採用している（図５のＳ２０２、Ｓ２０６及びＳ２０８）。そして、「不明」が選択された場合、認証方式との組み合わせにおいてセキュリティが高くなる暗号化方式から順次選択し、接続を試み（例えば、図７のＳ４０４及びＳ４０８参照）、接続に成功したパラメータを記憶部１３０に保持する構成を採用した（図７のＳ４１２，Ｓ４２４，Ｓ４３４）。これによれば、無線接続に精通したユーザでなくとも、無線ネットワークへの接続に際し、セキュリティを確保した無線接続を実現することができる。
【００６５】
（第２処理形態）
第２処理形態における無線設定は、第１処理形態と同じく、複合機１００の操作部１６０を介して実行されるものである。図８は、この処理において複合機１００で実行される処理フローを示したものである。なお、第１処理形態（図３）は、Ｓ１０２でＳＳＩＤとともに受信した認証方式がＷＰＡ２であるかＷＰＡであるかを示す認証方式情報に基づき、その後の無線設定に関する処理を適切に実行した。これに対し、第２処理形態では、後述するＳ５０２でＳＳＩＤとともに受信する暗号化方式情報に基づき、その後の無線設定に関する処理を適切に実行する。両者は、この点において相違する。
【００６６】
先ず、制御部１１０は、Ｓ５００〜Ｓ５１０を実行する。なお、Ｓ５００〜Ｓ５１０の各処理は、第１処理形態の図３に示すＳ１００〜Ｓ１１０の各処理に対応するものであり、詳細は省略する。なお、前述のとおり、制御部１１０はＳ５０２で、ＳＳＩＤとともに、外部装置が利用している暗号化方式を特定可能な暗号化方式情報を無線Ｉ／Ｆ１２０を介して受信し、取得している。また、以下の説明では、第１処理形態の場合と同じく、制御部１１０は、アクセスポイント３００Ａから送信されたＳＳＩＤをＳ５０６で取得したものとして説明する。
【００６７】
Ｓ５１２で制御部１１０は、Ｓ５０２で受信した暗号化方式情報に基づき、暗号化方式を特定し（後述する図９に示す処理（４）のＳ６００，Ｓ６０４及びＳ６０８参照））、特定した暗号化方式に対応する認証方式を、ユーザが選択可能に表示部１７０表示する。なお、認証方式の表示に際し、ユーザが認証方式を認識していない場合を考慮し、認証方式を特定しない「不明」を合わせて表示する（後述する図９参照）。Ｓ５１２で実行される処理（４）の詳細は後述する。
【００６８】
Ｓ５１４で制御部１１０は、Ｓ５１２で表示された認証方式の中から、ユーザが何れかの認証方式（不明を含む）を選択した場合、ユーザが選択した認証方式を取得し、選択された認証方式が、所定の認証方式（図９を例とすれば、ＷＰＡ２及びＷＰＡ）であるか、認証方式を特定しない「不明」であるかを判断する（Ｓ５１６）。判断の結果、所定の認証方式が選択された場合、制御部１１０はＳ５１８を実行する一方、「不明」が選択された場合、Ｓ５２０を実行する。なお、Ｓ５１８で実行される処理（５）は、ユーザが選択した認証方式に基づき、接続対象の無線ネットワーク（アクセスポイント３００Ａにより形成される無線ネットワーク１０）への接続を試みる処理である。Ｓ５２０で実行される処理（６）は、暗号化方式情報によって示される暗号化方式に対応する認証方式を順次選択（変更）し、接続対象の無線ネットワークへの接続を試みる処理である。Ｓ５１８の処理（５）及びＳ５２０の処理（６）の詳細は後述する。
【００６９】
そして、制御部１１０は、Ｓ５１８又はＳ５２０の結果を表示部１７０に表示する（Ｓ５２２）。なお、Ｓ５２２は、第１処理形態の図３に示すＳ１２２に対応するものであり、詳細は省略する。
【００７０】
図９は、図８のＳ５１２の処理（４）に関する処理フローを示すものである。先ず、制御部１１０は、Ｓ５０２（図８）で取得した暗号化方式情報が、ＡＥＳを示すものであるか否かを判断する（Ｓ６００）。判断の結果、ＡＥＳである場合（Ｓ６００：ＹＥＳ）、制御部１１０は、表示部１７０に、Ｓ５０６でユーザが選択したアクセスポイント３００Ａで利用される暗号化方式がＡＥＳであること、及びＡＥＳに対応する認証方式として「ＷＰＡ２」及び「ＷＰＡ」、並びに「不明」を、ユーザが選択可能な選択肢として表示する（Ｓ６０２）。図１０はＳ６０２での表示態様を示すものである。
【００７１】
Ｓ６００の判断が否定された場合（Ｓ６００：ＮＯ）、制御部１１０は、暗号化方式情報がＴＫＩＰを示すものであるか否かを判断する（Ｓ６０４）。判断の結果、ＴＫＩＰである場合（Ｓ６０４：ＹＥＳ）、制御部１１０は、表示部１７０に、Ｓ５０６でユーザが選択したアクセスポイント３００Ａで利用される暗号化方式がＴＫＩＰであること、及びＴＫＩＰに対応する認証方式として「ＷＰＡ２」及び「ＷＰＡ」、並びに「不明」を、ユーザが選択可能な選択肢として表示する（Ｓ６０６）。
【００７２】
Ｓ６０４の判断が否定された場合（Ｓ６０４：ＮＯ）、制御部１１０は、暗号化方式情報がＷＥＰを示すものであるか否かを判断する（Ｓ６０８）。判断の結果、ＷＥＰである場合（Ｓ６０８：ＹＥＳ）、制御部１１０は、表示部１７０に、Ｓ５０６でユーザが選択したアクセスポイント３００Ａで利用される暗号化方式がＷＥＰであること、及びＷＥＰに対応する認証方式として「シェアードキー（図９において「ＳＨＡＲＥＤ」と記載）」及び「オープン（図９において「ＯＰＥＮ」と記載。）」、並びに「不明」を、ユーザが選択可能な選択肢として表示する（Ｓ６１０）。
【００７３】
Ｓ６０８の判断が否定された場合（Ｓ６０８：ＮＯ）、制御部１１０は、表示部１７０に、暗号化方式が「暗号化なし（図９において「ＮＯＮＥ」と記載）」であること、及び「暗号化なし」に対応する認証方式として「オープン」をユーザが選択可能な選択肢として表示する（Ｓ６１２）。なお、Ｓ６１２における表示の場合、ユーザは認証方式を選択する必要がなく、したがって、Ｓ５１６におけるユーザ選択は不要であり、所定時間、Ｓ６１０における表示を行った後、制御部１１０は処理をＳ５１８に移行する構成とすることもできる。かかる場合、ユーザの操作負担を軽減することができる。制御部１１０は、Ｓ６０２、Ｓ６０６、Ｓ６１０及びＳ６１２を実行した後、この処理（４）を終了する。
【００７４】
図１１は、図８のＳ５１８の処理（５）に関する処理フローを示すものである。先ず、制御部１１０は、ユーザの選択に基づきＳ５１４（図８）で取得した認証方式が、ＷＰＡ２を示すものであるか否かを判断する（Ｓ７００）。判断の結果、ＷＰＡ２ではない場合（Ｓ７００：ＮＯ）、制御部１１０は、処理をＳ７１２に移行する一方、ＷＰＡ２である場合（Ｓ７００：ＹＥＳ）、Ｓ７０２を実行する。なお、Ｓ５０２（図８）で取得した暗号化方式情報が、ＡＥＳ又はＴＫＩＰを示すものである場合（図９に示す処理（４）のＳ６００又はＳ６０４で判断が肯定（ＹＥＳ）されている場合）、Ｓ５１４で認証方式としてＷＰＡ２がユーザによって選択されている可能性がある（表１参照）。
【００７５】
Ｓ７０２で制御部１１０は、認証方式及び暗号化方式として「ＷＰＡ２及びＳ５０２で取得した暗号化方式情報で示される暗号化方式（ＡＥＳ又はＴＫＩＰ）」の組合せを設定のパラメータとして、アクセスポイント３００Ａへの接続を試み、接続に成功したか否かを判断する（Ｓ７０４）。
【００７６】
判断の結果、接続に失敗した場合（Ｓ７０４：ＮＯ）、制御部１１０は、Ｓ７０２で設定したパラメータの内、認証方式をＷＰＡに変更した設定で、再度、アクセスポイント３００Ａへの接続を試み（Ｓ７０６）、接続に成功したか否かを判断する（Ｓ７０８）。判断の結果、接続に失敗した場合（Ｓ７０８：ＮＯ）、制御部１１０は処理（５）を終了する。Ｓ７０４又はＳ７０８で接続に成功した場合（Ｓ７０４，Ｓ７０８：ＹＥＳ）、制御部１１０は、接続に用いたパラメータ（認証方式及び暗号化方式）を無線設定用のパラメータとして記憶部１３０に保持し（Ｓ７１０）、処理（５）を終了する。
【００７７】
Ｓ７１２で制御部１１０は、ユーザの選択に基づきＳ５１４（図８）で取得した認証方式が、ＷＰＡを示すものであるか否かを判断する（Ｓ７１２）。判断の結果、ＷＰＡではない場合（Ｓ７１２：ＮＯ）、制御部１１０は、処理をＳ７２４に移行する一方、ＷＰＡである場合（Ｓ７１２：ＹＥＳ）、Ｓ７１４を実行する。なお、Ｓ５０２（図８）で取得した暗号化方式情報が、ＡＥＳ又はＴＫＩＰを示すものである場合（図９に示す処理（４）のＳ６００又はＳ６０４で判断が肯定（ＹＥＳ）されている場合）、Ｓ５１４で暗号化方式としてＷＰＡがユーザによって選択されている可能性がある（表１参照）。
【００７８】
Ｓ７１４で制御部１１０は、認証方式及び暗号化方式として「ＷＰＡ及びＳ５０２で取得した暗号化方式情報で示される暗号化方式（ＡＥＳ又はＴＫＩＰ）」の組合せを設定のパラメータとして、アクセスポイント３００Ａへの接続を試み、接続に成功したか否かを判断する（Ｓ７１６）。
【００７９】
判断の結果、接続に失敗した場合（Ｓ７１６：ＮＯ）、制御部１１０は、Ｓ７１４で設定したパラメータの内、認証方式をＷＰＡ２に変更した設定で、再度、アクセスポイント３００Ａへの接続を試み（Ｓ７１８）、接続に成功したか否かを判断する（Ｓ７２０）。判断の結果、接続に失敗した場合（Ｓ７２０：ＮＯ）、制御部１１０は処理（５）を終了する。Ｓ７１６又はＳ７２０で接続に成功した場合（Ｓ７１６，Ｓ７２０：ＹＥＳ）、制御部１１０は、接続に用いたパラメータ（認証方式及び暗号化方式）を無線設定用のパラメータとして記憶部１３０に保持し（Ｓ７２２）、処理（５）を終了する。
【００８０】
Ｓ７２４で制御部１１０は、ユーザの選択に基づきＳ５１４（図８）で取得した認証方式が、シェアードキー（図１１において「ＳＨＡＲＥＤ」と記載）を示すものであるか否かを判断する。判断の結果、シェアードキーではない場合（Ｓ７２４：ＮＯ）、制御部１１０は、処理をＳ７３６に移行する一方、シェアードキーである場合（Ｓ７２４：ＹＥＳ）、Ｓ７２６を実行する。なお、Ｓ５０２（図８）で取得した暗号化方式情報が、ＷＥＰを示すものである場合（図９に示す処理（４）のＳ６０８の判断が肯定（ＹＥＳ）されている場合）、Ｓ５１４で暗号化方式としてシェアードキーが取得されている可能性がある（表１参照）。
【００８１】
Ｓ７２６で制御部１１０は、認証方式及び暗号化方式として「シェアードキー及びＷＥＰ」の組合せを設定のパラメータとして、アクセスポイント３００Ａへの接続を試み、接続に成功したか否かを判断する（Ｓ７２８）。
【００８２】
判断の結果、接続に失敗した場合（Ｓ７２８：ＮＯ）、制御部１１０は、Ｓ７２６で設定したパラメータの内、認証方式をオープン（図１１において「ＯＰＥＮ」と記載）に変更した設定で、再度、アクセスポイント３００Ａへの接続を試み（Ｓ７３０）、接続に成功したか否かを判断する（Ｓ７３２）。判断の結果、接続に失敗した場合（Ｓ７３２：ＮＯ）、制御部１１０は処理（５）を終了する。Ｓ７２８又はＳ７３２で接続に成功した場合（Ｓ７２８，Ｓ７３２：ＹＥＳ）、制御部１１０は、接続に用いたパラメータ（認証方式及び暗号化方式）を無線設定用のパラメータとして記憶部１３０に保持し（Ｓ７３４）、処理（５）を終了する。
【００８３】
なお、Ｓ７０４、Ｓ７１６又はＳ７２８で接続に失敗したと判断された場合（Ｓ７０４，Ｓ７１６，Ｓ７２８：ＮＯ）、Ｓ７０６，Ｓ７１８又はＳ７３０を実行する構成としたが、これら認証方式による接続試みは、ユーザ選択に基づくものではないため、Ｓ７０４等で接続に失敗したと判断された場合（Ｓ７０４，Ｓ７１６，Ｓ７２８：ＮＯ）、Ｓ７０６等を実行することなく、処理（５）を終了する構成とすることもできる。
【００８４】
Ｓ７３６で制御部１１０は、認証方式及び暗号化方式として「オープン及び暗号化なし（図１１において「ＮＯＮＥ」と記載）」の組合せを設定のパラメータとして、アクセスポイント３００Ａへの接続を試み、接続に成功したか否かを判断する（Ｓ７３８）。判断の結果、接続に失敗した場合（Ｓ７３８：ＮＯ）、制御部１１０は処理（５）を終了し、接続に成功した場合（Ｓ７３８：ＹＥＳ）、制御部１１０は、接続に用いたパラメータ（認証方式及び暗号化方式）を無線設定用のパラメータとして記憶部１３０に保持し（Ｓ７４０）、処理（５）を終了する。
【００８５】
図１２は、Ｓ５２０の処理（６）に関する処理フローを示すものである。先ず、制御部１１０は、Ｓ５１０（図８）でユーザが入力したパスワードのパスワード長（文字数）が「０」であるか否かを判断する（Ｓ８００）。判断の結果、パスワード長が「０」である場合（Ｓ８００：ＹＥＳ）、制御部１１０は、処理をＳ８３６に移行する一方、パスワード長が「０」でない場合（Ｓ８００：ＮＯ）、Ｓ８０２を実行する。なお、Ｓ８３６以降の処理については、後述する。
【００８６】
Ｓ８０２で制御部１１０は、Ｓ５０２（図８）で取得した暗号化方式情報が、ＡＥＳを示すものであるか否かを判断する（Ｓ８０２）。判断の結果、ＡＥＳではない場合（Ｓ８０２：ＮＯ）、制御部１１０は、処理をＳ８１４に移行する一方、ＡＥＳである場合（Ｓ８０２：ＹＥＳ）、Ｓ８０４を実行する。なお、Ｓ８０２の判断は、図９に示す処理（４）のＳ６００と同一である。Ｓ８０４で制御部１１０は、暗号化方式及び認証方式として「ＡＥＳ及びＷＰＡ２」の組合せを設定のパラメータとして、アクセスポイント３００Ａへの接続を試み、接続に成功したか否かを判断する（Ｓ８０６）。判断の結果、接続に失敗した場合（Ｓ８０６：ＮＯ）、制御部１１０は、Ｓ８０４で設定したパラメータの内、認証方式をＷＰＡに変更した設定で、再度、アクセスポイント３００Ａへの接続を試み（Ｓ８０８）、接続に成功したか否かを判断する（Ｓ８１０）。判断の結果、接続に失敗した場合（Ｓ８１０：ＮＯ）、制御部１１０は処理（６）を終了する。Ｓ８０６又はＳ８１０で接続に成功した場合（Ｓ８０６，Ｓ８１０：ＹＥＳ）、制御部１１０は、接続に用いたパラメータ（暗号化方式及び認証方式）を無線設定用のパラメータとして記憶部１３０に保持し（Ｓ８１２）、処理（６）を終了する。
【００８７】
Ｓ８１４で制御部１１０は、Ｓ５０２（図８）で取得した暗号化方式情報が、ＴＫＩＰを示すものであるか否かを判断する（Ｓ８１４）。判断の結果、ＴＫＩＰではない場合（Ｓ８１４：ＮＯ）、制御部１１０は、処理をＳ８２６に移行する一方、ＴＫＩＰである場合（Ｓ８１４：ＹＥＳ）、Ｓ８１６を実行する。なお、Ｓ８１４の判断は、図９に示す処理（４）のＳ６０４と同一である。Ｓ８１６で制御部１１０は、暗号化方式及び認証方式として「ＴＫＩＰ及びＷＰＡ２」の組合せを設定のパラメータとして、アクセスポイント３００Ａへの接続を試み、接続に成功したか否かを判断する（Ｓ８１８）。判断の結果、接続に失敗した場合（Ｓ８１８：ＮＯ）、制御部１１０は、Ｓ８１６で設定したパラメータの内、認証方式をＷＰＡに変更した設定で、再度、アクセスポイント３００Ａへの接続を試み（Ｓ８２０）、接続に成功したか否かを判断する（Ｓ８２２）。判断の結果、接続に失敗した場合（Ｓ８２２：ＮＯ）、制御部１１０は処理（６）を終了する。なお、Ｓ８１８又はＳ８２２で接続に成功した場合（Ｓ８１８，Ｓ８２２：ＹＥＳ）、制御部１１０は、接続に用いたパラメータ（暗号化方式及び認証方式）を無線設定用のパラメータとして記憶部１３０に保持し（Ｓ８２４）、処理（６）を終了する。
【００８８】
ここで、Ｓ８０２で判断が肯定される場合（Ｓ８０２：ＹＥＳ）、制御部１１０は、認証方式としてＷＰＡ２をＷＰＡよりも優先して選択し、暗号化方式（ＡＥＳ）と各認証方式（ＷＰＡ２，ＷＰＡ）との組合せで、アクセスポイント３００Ａへの接続を試みている。同様に、Ｓ８１４で判断が肯定される場合（Ｓ８１４：ＹＥＳ）、制御部１１０は、認証方式としてＷＰＡ２をＷＰＡよりも優先して選択し、暗号化方式（ＴＫＩＰ）と各認証方式（ＷＰＡ２，ＷＰＡ）との組合せで、アクセスポイント３００Ａへの接続を試みている。これは、ＷＰＡ２は、ＷＰＡよりもセキュリティが高い認証方式であることを考慮したものである。
【００８９】
Ｓ８２６で制御部１１０は、暗号化方式及び認証方式として「ＷＥＰ及びシェアードキー（図１２において「ＳＨＡＲＥＤ」と記載）」の組合せを設定のパラメータとして、アクセスポイント３００Ａへの接続を試み、接続に成功したか否かを判断する（Ｓ８２８）。判断の結果、接続に失敗した場合（Ｓ８２８：ＮＯ）、制御部１１０は、Ｓ８２６で設定したパラメータの内、認証方式をオープン（図１２において「ＯＰＥＮ」と記載）に変更した設定で、再度、アクセスポイント３００Ａへの接続を試み（Ｓ８３０）、接続に成功したか否かを判断する（Ｓ８３２）。判断の結果、接続に失敗した場合（Ｓ８３２：ＮＯ）、制御部１１０は処理（６）を終了する。Ｓ８２８又はＳ８３２で接続に成功した場合（Ｓ８２８，Ｓ８３２：ＹＥＳ）、制御部１１０は、接続に用いたパラメータ（暗号化方式及び認証方式）を無線設定用のパラメータとして記憶部１３０に保持し（Ｓ８３４）、処理（６）を終了する。なお、暗号化方式及び認証方式の組合せとして、「ＷＥＰ及びシェアードキー」を、「ＷＥＰ及びオープン」に優先して選択する構成を採用している（Ｓ８２６及びＳ８３０参照）。これは第１処理形態の図６に示す処理（２）に記載した理由と、同一の理由によるものである。
【００９０】
Ｓ８３６で制御部１１０は、暗号化方式及び認証方式として「暗号化なし（図１２において「ＮＯＮＥ」と記載）及びオープン」の組合せを設定のパラメータとして、アクセスポイント３００Ａへの接続を試み、接続に成功したか否かを判断する（Ｓ８３８）。判断の結果、接続に失敗した場合（Ｓ８３８：ＮＯ）、制御部１１０は処理（６）を終了し、接続に成功した場合（Ｓ８３８：ＹＥＳ）、制御部１１０は、接続に用いたパラメータ（暗号化方式及び認証方式）を無線設定用のパラメータとして記憶部１３０に保持し（Ｓ８４０）、処理（６）を終了する。
【００９１】
（第２処理形態に基づく有利な効果）
上述した構成（処理）に基づく有利な効果について列挙する。
（１）認証方式の選択肢として、暗号化方式情報に基づき特定した暗号化方式に対応する適切な認証方式を、ユーザが選択可能に表示部１７０に表示する構成を採用した（図９のＳ６０２，Ｓ６０６及びＳ６１０）。これによれば、仮に選択されたとしても接続に失敗する不適切な認証方式が、ユーザによって選択されることを防止することができる。
【００９２】
（２）上記（１）の構成において、暗号化方式情報に基づき特定した暗号化方式に対応する適切な認証方式とともに、ユーザが正しい認証方式を選択できないことを考慮し、選択肢として「不明」を表示部１７０に表示する構成を採用している（図９のＳ６０２，Ｓ６０６及びＳ６１０）。そして、「不明」が選択された場合、暗号化方式との組み合わせにおいてセキュリティが高くなる認証方式から順次選択し、接続を試み（例えば、図１２のＳ８０４及びＳ８０８参照）、接続に成功したパラメータを記憶部１３０に保持する構成を採用した（図１２のＳ８１２，Ｓ８２４，Ｓ８３４）。これによれば、無線接続に精通したユーザでなくとも、無線ネットワークへの接続に際し、セキュリティを確保した無線接続を実現することができる。
【００９３】
なお、第１処理形態および第２処理形態における複合機１００が本発明における無線通信装置に相当する。また、複合機１００の制御部１１０が本発明における各手段に相当する。
【００９４】
（上記実施形態の変形例）
第１処理形態及び第２処理形態に基づく上記実施形態では、無線設定の操作を複合機１００で完結した構成を例に説明した。しかし、図１及び２に記載の複合機１００に、例えば、ＵＳＢ接続されたパソコン２００を利用した構成を採用することもできる。かかる構成では、パソコン２００の記憶部２２０にインストールされた専用のプログラム２２４が起動されることにより、その処理が開始される。
【００９５】
第１処理形態を例にその概略を説明する。制御部２１０は、プログラム２２４の起動後、表示部２４０に所定の情報を表示する。この表示にしたがい、ユーザが操作部２３０を介して無線ネットワークサーチ要求指示を入力した場合、制御部２１０は、この指示を取得し（図３のＳ１００参照）、ＵＳＢＩ／Ｆ２５０を制御し、ＳＳＩＤサーチ要求を複合機１００に送信する。
【００９６】
複合機１００の制御部１１０はＵＳＢＩ／Ｆ１８０を制御し、パソコン２００から送信されてくるＳＳＩＤサーチ要求を受信し、取得する。その後、図３のＳ１０２と同一の処理を実行する。Ｓ１０２相当の処理を実行した後、複合機１００の制御部１１０は、サーチによって取得したＳＳＩＤのリストをパソコン２００に送信する。ＳＳＩＤリストを受信したパソコン２００の制御部２１０は、ＳＳＩＤリストを対象として、図３のＳ１０４〜Ｓ１１２に相当する各処理を順次実行する。パソコンの制御部２１０は、図３のＳ１１４に相当する処理において、ユーザが、何れかの選択肢を選択した場合、選択された暗号化方式を取得し、取得した暗号化方式が、所定の暗号化方式又は「不明」のいずれであるかを判断する（図３のＳ１１６参照）。
【００９７】
判断の結果、ユーザが所定の暗号化方式を選択したと判断した場合、パソコン２００の制御部２１０は、ユーザが選択した暗号化方式に基づいた接続を、複合機１００に要求する。要求を受信した複合機１００の制御部１１０は、図３のＳ１１８で実行される処理（２）と同一の処理を実行し、接続結果を、パソコン２００にＵＳＢＩ／Ｆ１８０を制御して送信する。パソコン２００の制御部２１０は、送信されてくる接続結果を受信し、受信した接続結果を表示部２４０に表示する（図３のＳ１２２参照）。
【００９８】
これに対し、ユーザが「不明」を選択したと判断した場合、パソコン２００の制御部２１０は、図３のＳ１２０で実行される処理（３）と同一の処理の実行の要求を、ＵＳＢＩ／Ｆ２５０を制御して複合機１００に送信する。複合機１００の制御部１１０は、この要求を受信し、処理（３）と同一の処理を実行し、接続結果を、パソコン２００にＵＳＢＩ／Ｆ１８０を制御して送信する。パソコン２００の制御部２１０は、送信されてくる接続結果を受信し、受信した接続結果を表示部２４０に表示する（図３のＳ１２２参照）。
【００９９】
このようなパソコン２００を採用した構成によれば、ＳＳＩＤの選択、パスワードの入力を操作性に優れたパソコン２００の操作部２３０を介して実行可能であるため、これらの入力を容易に行うことができる。また、表示されるＳＳＩＤ又は接続結果を、パソコン２００の表示部２４０で確認することができる。
【０１００】
なお、変形例における複合機１００（または複合機１００およびパソコン２００）が本発明における無線通信装置に相当する。
【図面の簡単な説明】
【０１０１】
【図１】本発明の実施形態におけるシステム全体を示す図
【図２】本発明の実施形態におけるシステムを構成する各装置の機能ブロックを示す図
【図３】本発明の実施形態の第１処理形態における無線設定処理フローを示す図
【図４】本発明の実施形態の第１処理形態における無線設定時の表示部への表示態様を示す図
【図５】本発明の実施形態の処理（１）に関する処理フローを示す図
【図６】本発明の実施形態の処理（２）に関する処理フローを示す図
【図７】本発明の実施形態の処理（３）に関する処理フローを示す図
【図８】本発明の実施形態の第２処理形態における無線設定処理フローを示す図
【図９】本発明の実施形態の処理（４）に関する処理フローを示す図
【図１０】本発明の実施形態の第２処理形態における無線設定時の表示部への表示態様を示す図
【図１１】本発明の実施形態の処理（５）に関する処理フローを示す図
【図１２】本発明の実施形態の処理（６）に関する処理フローを示す図
【符号の説明】
【０１０２】
１０  無線ネットワーク
１００  複合機
２００，５００  パソコン
１１０，２１０  制御部
１２０  無線Ｉ／Ｆ
１３０，２２０  記憶部
２２４  プログラム
３００Ａ〜Ｃ  アクセスポイント
【図１】
2010087910.tif 000004
【図２】
2010087910.tif 000005
【図３】
2010087910.tif 000006
【図５】
2010087910.tif 000007
【図６】
2010087910.tif 000008
【図７】
2010087910.tif 000009
【図８】
2010087910.tif 000010
【図９】
2010087910.tif 000011
【図１１】
2010087910.tif 000012
【図１２】
2010087910.tif 000013
【図４】
2010087910.tif 000014
【図１０】
2010087910.tif 000015